(57)【要約】【課題】洗濯／乾燥機において、利用者以外の他人による内容物の確認や窃盗を抑制する新たな技術を提供する。【解決手段】本発明は、生体情報を取得し、記憶部１２に記憶させる登録部１１と、洗濯／乾燥機の扉のロック解除依頼、及び、生体情報の入力を受付ける受付部１３と、記憶部１２に記憶されている生体情報と、受付部１３が受付けた生体情報とに基づき生体認証を行う認証部１４と、生体認証が成功した場合、扉のロック解除指示を洗濯／乾燥機に入力するロック制御部１５と、を有する処理装置１０を提供する。【選択図】図３
2020192001.tif 000002
【特許請求の範囲】
【請求項１】
生体情報を取得し、記憶手段に記憶させる登録手段と、
洗濯／乾燥機の扉のロック解除依頼、及び、生体情報の入力を受付ける受付手段と、
前記記憶手段に記憶されている生体情報と、前記受付手段が受付けた生体情報とに基づき生体認証を行う認証手段と、
前記生体認証が成功した場合、扉のロック解除指示を前記洗濯／乾燥機に入力するロック制御手段と、
を有する処理装置。
【請求項２】
請求項１に記載の処理装置において、
前記登録手段は、複数の前記洗濯／乾燥機の中の１つを示す対象識別情報をさらに取得し、前記対象識別情報と前記生体情報を対応付けて前記記憶手段に記憶させ、
前記受付手段は、扉のロック解除の対象である前記洗濯／乾燥機を示す前記対象識別情報の入力をさらに受付け、
前記認証手段は、前記受付手段が受付けた前記対象識別情報に対応付けて前記記憶手段に記憶されている生体情報と、前記受付手段が受付けた生体情報とに基づき生体認証を行う処理装置。
【請求項３】
請求項１又は２に記載の処理装置において、
前記ロック制御手段は、
前記洗濯／乾燥機に関する所定のタイミングからの経過時間を管理し、
前記経過時間が基準値を超えている場合には、前記生体認証が成功し、かつ、所定の支払処理が完了した後に、扉のロック解除指示を前記洗濯／乾燥機に入力する処理装置。
【請求項４】
請求項１又は２に記載の処理装置において、
前記登録手段は、
保管延長オプションを付与するか否かを示す選択情報を取得し、前記選択情報と前記生体情報を対応付けて前記記憶手段に記憶させ、
前記ロック制御手段は、
前記洗濯／乾燥機に関する所定のタイミングからの経過時間を管理し、
保管延長オプションが付与されていない場合には、前記経過時間が基準値に達した時点で扉のロック解除指示を前記洗濯／乾燥機に入力し、
保管延長オプションが付与されており、かつ、前記経過時間が基準値を超えている場合には、前記生体認証が成功し、かつ、所定の支払処理が完了した後に、扉のロック解除指示を前記洗濯／乾燥機に入力する処理装置。
【請求項５】
請求項１から４のいずれか１項に記載の処理装置において、
前記登録手段は、利用者の連絡先を示す連絡先情報を取得し、前記連絡先情報と前記生体情報を対応付けて前記記憶手段に記憶させ、
前記連絡先情報を用いて、利用者に各種情報を通知する通知手段をさらに有する処理装置。
【請求項６】
請求項５に記載の処理装置において、
前記通知手段は、前記洗濯／乾燥機による洗濯又は乾燥が終了するタイミングを通知する処理装置。
【請求項７】
請求項５又は６に記載の処理装置において、
前記通知手段は、前記洗濯／乾燥機に対して行われた操作の内容を通知する処理装置。
【請求項８】
請求項５から７のいずれか１項に記載の処理装置において、
前記通知手段は、前記洗濯／乾燥機に関する所定のタイミングからの経過時間が基準値より所定時間前になると、内容物の回収督促、及び、料金の支払いで前記洗濯／乾燥機内での保管期限を延長できる保管延長オプションの案内の少なくとも一方を通知する処理装置。
【請求項９】
コンピュータが、
生体情報を取得し、記憶手段に記憶させ、
洗濯／乾燥機の扉のロック解除依頼、及び、生体情報の入力を受付け、
前記記憶手段に記憶されている生体情報と、受付けた生体情報とに基づき生体認証を行い、
前記生体認証が成功した場合、扉のロック解除指示を前記洗濯／乾燥機に入力する処理方法。
【請求項１０】
コンピュータを、
生体情報を取得し、記憶手段に記憶させる登録手段、
洗濯／乾燥機の扉のロック解除依頼、及び、生体情報の入力を受付ける受付手段、
前記記憶手段に記憶されている生体情報と、前記受付手段が受付けた生体情報とに基づき生体認証を行う認証手段、
前記生体認証が成功した場合、扉のロック解除指示を前記洗濯／乾燥機に入力するロック制御手段、
として機能させるプログラム。
【発明の詳細な説明】
【技術分野】
【０００１】
本発明は、処理装置、処理方法及びプログラムに関する。
【背景技術】
【０００２】
現状のコインランドリー店舗においては、洗濯／乾燥機の利用後、扉は誰でも開閉できる状態になっており、利用者以外の他人による内容物の確認や窃盗が発生するリスクがある。
【０００３】
特許文献１及び２は、暗証番号等で認証処理を行い、認証に成功したら洗濯機の開閉扉を開錠することを開示している。
【０００４】
特許文献３は、洗濯／乾燥機の運転終了からの時間を計測し、一定時間経過すると経過時間に基づいて延長料金を課金すること、及び、ＩＣカードの識別データで認証され、かつ、延長料金が支払われると、洗濯／乾燥機のロックを解除することを開示している。
【０００５】
特許文献４は、生体認証及びコード認証に成功した場合、金庫などのシステムへのアクセスを許可することを開示している。
【先行技術文献】
【特許文献】
【０００６】
【特許文献１】特開２０１５−２０５０４７
【特許文献２】特開２００６−２６２９４２
【特許文献３】特開２００５−３４１９８１
【特許文献４】特表２０１８−５１５８３０
【発明の概要】
【発明が解決しようとする課題】
【０００７】
暗証番号等のコードで認証する技術の場合、利用者がそのコードを忘れてしまうと洗濯／乾燥機のロックを解除できないという問題が発生し得る。本発明は、洗濯／乾燥機において、利用者以外の他人による内容物の確認や窃盗を抑制する新たな技術を提供することを課題とする。
【課題を解決するための手段】
【０００８】
本発明によれば、
生体情報を取得し、記憶手段に記憶させる登録手段と、
洗濯／乾燥機の扉のロック解除依頼、及び、生体情報の入力を受付ける受付手段と、
前記記憶手段に記憶されている生体情報と、前記受付手段が受付けた生体情報とに基づき生体認証を行う認証手段と、
前記生体認証が成功した場合、扉のロック解除指示を前記洗濯／乾燥機に入力するロック制御手段と、
を有する処理装置が提供される。
【０００９】
また、本発明によれば、
コンピュータが、
生体情報を取得し、記憶手段に記憶させ、
洗濯／乾燥機の扉のロック解除依頼、及び、生体情報の入力を受付け、
前記記憶手段に記憶されている生体情報と、受付けた生体情報とに基づき生体認証を行い、
前記生体認証が成功した場合、扉のロック解除指示を前記洗濯／乾燥機に入力する処理方法が提供される。
【００１０】
また、本発明によれば、
コンピュータを、
生体情報を取得し、記憶手段に記憶させる登録手段、
洗濯／乾燥機の扉のロック解除依頼、及び、生体情報の入力を受付ける受付手段、
前記記憶手段に記憶されている生体情報と、前記受付手段が受付けた生体情報とに基づき生体認証を行う認証手段、
前記生体認証が成功した場合、扉のロック解除指示を前記洗濯／乾燥機に入力するロック制御手段、
として機能させるプログラムが提供される。
【発明の効果】
【００１１】
本発明によれば、洗濯／乾燥機において、利用者以外の他人による内容物の確認や窃盗を抑制する新たな技術が実現される。
【図面の簡単な説明】
【００１２】
【図１】本実施形態のシステムの機能ブロック図の一例である。
【図２】本実施形態の処理装置のハードウエア構成の一例を示す図である。
【図３】本実施形態の処理装置の機能ブロック図の一例である。
【図４】本実施形態の処理装置が処理する情報の一例を模式的に示す図である。
【図５】本実施形態の処理装置の処理の流れの一例を示すフローチャートである。
【図６】本実施形態の処理装置の処理の流れの一例を示すフローチャートである。
【図７】本実施形態の処理装置が処理する情報の一例を模式的に示す図である。
【図８】本実施形態の処理装置の処理の流れの一例を示すフローチャートである。
【図９】本実施形態の処理装置が処理する情報の一例を模式的に示す図である。
【図１０】本実施形態の処理装置の処理内容を説明するための図である。
【図１１】本実施形態の処理装置の機能ブロック図の一例である。
【図１２】本実施形態の処理装置が処理する情報の一例を模式的に示す図である。
【図１３】本実施形態のシステムの機能ブロック図の一例である。
【図１４】本実施形態の処理装置が処理する情報の一例を模式的に示す図である。
【図１５】本実施例の処理装置の処理の流れの一例を示すフローチャートである。
【発明を実施するための形態】
【００１３】
＜第１の実施形態＞
「本実施形態のシステムの概要」
本実施形態のシステムは、生体認証に成功した場合に、洗濯／乾燥機の扉のロックを解除する機能を有する。このような本実施形態のシステムによれば、利用者以外の他人による内容物の確認や窃盗を抑制できる。また、暗証番号等のコードを認証に利用しないので、利用者がコードを忘れてしまい洗濯／乾燥機のロックを解除できないという問題の発生を抑制できる。以下、本実施形態のシステムを詳細に説明する。
【００１４】
「本実施形態のシステムの全体像」
まず、図１の機能ブロック図を用いて、本実施形態のシステムの全体像を説明する。本実施形態のシステムは、処理装置１０と、洗濯／乾燥機２０とを有する。図示するように、処理装置１０と洗濯／乾燥機２０とは１対１の関係である。処理装置１０と洗濯／乾燥機２０とは任意の手段で互いに情報を送受信するよう構成されている。処理装置１０と洗濯／乾燥機２０とは、物理的及び／又は論理的に一体となっていてもよいし、物理的及び／又は論理的に分かれていてもよい。
【００１５】
本実施形態のシステムは、例えば、コインランドリー、寮等、不特定多数の人が同じ洗濯／乾燥機２０を使用する場面での利用に好適だが、一般家庭などその他の場面で利用されてもよい。
【００１６】
「洗濯／乾燥機２０の構成」
洗濯／乾燥機２０は、洗濯機能を有する洗濯機、乾燥機能を有する乾燥機、及び、洗濯機能と乾燥機能を有する洗濯乾燥機を含む概念である。洗濯／乾燥機２０は、洗濯／乾燥等の主たる処理（洗濯、乾燥等）を行う主機能部と、衣類等の処理対象物が収容される収容エリアの扉のロックを制御するロック開閉部とを少なくとも有する。ロック開閉部は、予め定められた条件を満たすと、収容エリアの扉のロックを施錠したり、解除したりする。例えば、ロック開閉部は、処理装置１０からの指示に基づき、収容エリアの扉のロックを解除することができる。また、例えば主機能部が洗濯や乾燥等の主たる処理を開始したことに応じて、収容エリアの扉のロックを施錠することができる。ロックの機構やロックの施錠及び解除を電子的に制御する手法は特段制限されない。
【００１７】
「処理装置１０の構成」
次に、処理装置１０の構成を詳細に説明する。まず、処理装置１０のハードウエア構成の一例を説明する。処理装置１０が備える各機能は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００１８】
図２は、処理装置１０のハードウエア構成を例示するブロック図である。図２に示すように、処理装置１０は、プロセッサ１Ａ、メモリ２Ａ、入出力インターフェイス３Ａ、周辺回路４Ａ、バス５Ａを有する。周辺回路４Ａには、様々なモジュールが含まれる。なお、周辺回路４Ａは有さなくてもよい。なお、処理装置１０は物理的及び／又は論理的に一体となった１つの装置で構成されてもよいし、物理的及び／又は論理的に分かれた複数の装置で構成されてもよい。物理的及び／又は論理的に分かれた複数の装置で構成される場合、複数の装置各々が上記ハードウエア構成を備えることができる。
【００１９】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵ、ＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、入力装置、外部装置、外部サーバ、外部センサ、カメラ等から情報を取得するためのインターフェイスや、出力装置、外部装置、外部サーバ等に情報を出力するためのインターフェイスなどを含む。入力装置は、例えばキーボード、マウス、マイク、タッチパネル、物理ボタン、カメラ等である。出力装置は、例えばディスプレイ、スピーカ、プリンター、メーラ等である。プロセッサ１Ａは、各モジュールに指令を出し、それらの演算結果をもとに演算を行うことができる。
【００２０】
次に、処理装置１０の機能構成を説明する。図３に、処理装置１０の機能ブロック図の一例を示す。図示するように、処理装置１０は、登録部１１と、記憶部１２と、受付部１３と、認証部１４と、ロック制御部１５とを有する。
【００２１】
登録部１１は、生体情報を取得し、記憶部１２に記憶させる。生体情報は、指紋、声紋、虹彩、顔画像、網膜等が例示されるが、これらに限定されない。
【００２２】
例えば、洗濯／乾燥機２０の利用者は、任意のタイミングで、処理装置１０及び／又は洗濯／乾燥機２０に設けられたカメラ、マイク、指紋センサ等の任意の入力装置を介して自身の生体情報を入力する。登録部１１は、入力された生体情報を取得し、記憶部１２に記憶させる。
【００２３】
その他、洗濯／乾燥機２０が設置されているエリア内（例：店舗内）の任意の位置に設置されたカメラが、洗濯／乾燥機２０の利用者を撮影してもよい。例えば、洗濯／乾燥機２０にカメラが設置されてもよい。カメラは洗濯／乾燥機２０を操作している人物を撮影する位置及び向きで設置される。そして、その洗濯／乾燥機２０に対応する処理装置１０の登録部１１は、当該カメラが生成したその人物の顔画像を生体情報として記憶部１２に記憶させてもよい。例えば、登録部１１は、洗濯／乾燥機２０に対して所定の操作（例：扉を閉める、洗濯や乾燥を開始する入力等）が行われたタイミングで撮影された画像に含まれる人物の顔画像を生体情報として記憶部１２に記憶させてもよい。このようにすれば、生体情報を登録するための利用者の負担を軽減できる。
【００２４】
図４に、記憶部１２が記憶する情報の一例を模式的に示す。図示する例では、生体情報が登録された日時と、登録された生体情報と、洗濯／乾燥機２０の扉のステータスとが互いに対応付けられている。ステータスは、洗濯／乾燥機２０から取得した情報に基づき更新される。すなわち、洗濯／乾燥機２０は、扉のステータスを示す情報を、例えばステータスが変更する毎に処理装置１０に通知する。処理装置１０は、通知された情報に基づき、記憶部１２に記憶されているステータスを更新する。なお、記憶部１２はその他の情報を記憶してもよいし、生体情報以外の他の情報（例：登録日時、ステータス等）を記憶しなくてもよい。
【００２５】
なお、本明細書において、「取得」とは、ユーザ入力に基づき、又は、プログラムの指示に基づき、「自装置が他の装置や記憶媒体に格納されているデータを取りに行くこと（能動的な取得）」、たとえば、他の装置にリクエストまたは問い合わせして受信すること、他の装置や記憶媒体にアクセスして読出すこと等、および、ユーザ入力に基づき、又は、プログラムの指示に基づき、「自装置に他の装置から出力されるデータを入力すること（受動的な取得）」、たとえば、外部装置から送信されたデータを受信できる状態で待機しており、外部装置から送信されたデータを受信すること、外部装置から配信（または、送信、プッシュ通知等）されるデータを受信すること、また、受信したデータまたは情報の中から選択して取得すること、及び、「データを編集（テキスト化、データの並び替え、一部データの抽出、ファイル形式の変更等）などして新たなデータを生成し、当該新たなデータを取得すること」の少なくともいずれか一方を含む。
【００２６】
図３に戻り、受付部１３は、洗濯／乾燥機２０の扉のロック解除依頼、及び、生体情報の入力を受付ける。
【００２７】
例えば、受付部１３は、処理装置１０及び／又は洗濯／乾燥機２０に設けられた物理ボタン、タッチパネル、マイク等の任意の入力装置を介して、洗濯／乾燥機２０の扉のロック解除依頼の入力を受付けてもよい。その他、受付部１３は、所定のタイミング（例：洗濯や乾燥が行われていないタイミング）における洗濯／乾燥機２０の扉を開こうとする操作を、洗濯／乾燥機２０の扉のロック解除依頼の入力として受付けてもよい。洗濯／乾燥機２０の扉を開こうとする操作は、洗濯／乾燥機２０の任意の位置に設置された圧力センサで扉を開こうとする力を検知することで検出されてもよいし、その他の手段で検出されてもよい。
【００２８】
また、受付部１３は、処理装置１０及び／又は洗濯／乾燥機２０に設けられたカメラ、マイク、指紋センサ等の任意の入力装置を介して生体情報の入力を受付ける。
【００２９】
その他、洗濯／乾燥機２０が設置されているエリア内（例：店舗内）の任意の位置に設置されたカメラが、洗濯／乾燥機２０の利用者を撮影してもよい。例えば、洗濯／乾燥機２０にカメラが設置されてもよい。カメラは洗濯／乾燥機２０を操作（例：扉を開こうとする操作）している人物を撮影する位置及び向きで設置される。そして、その洗濯／乾燥機２０に対応する処理装置１０の受付部１３は、当該カメラが生成したその人物の顔画像を生体情報として取得する。
【００３０】
認証部１４は、記憶部１２に記憶されている生体情報と、受付部１３が受付けた生体情報とに基づき生体認証を行う。
【００３１】
ロック制御部１５は、認証部１４による生体認証が成功した場合、扉のロック解除指示を洗濯／乾燥機２０に入力する。洗濯／乾燥機２０のロック開閉部は、ロック制御部１５からのロック解除指示に基づき、収容エリアの扉のロックを解除する。
【００３２】
一方、認証部１４による生体認証が失敗した場合、ロック制御部１５は、扉のロック解除指示を洗濯／乾燥機２０に入力しない。このため、洗濯／乾燥機２０の収容エリアの扉のロックは解除されない。この場合、処理装置１０及び／又は洗濯／乾燥機２０は、認証に失敗したため洗濯／乾燥機２０の扉のロックを解除しない旨を利用者に通知してもよい。当該通知は、ディスプレイ、スピーカ、投影装置等のあらゆる出力装置を介して実現される。
【００３３】
次に、フローチャートを用いて、処理装置１０の処理の流れの一例を説明する。
【００３４】
まず、図５のフローチャートを用いて、利用者の生体情報を登録する処理の流れの一例を説明する。
【００３５】
登録部１１は、生体情報の取得待ち状態となっている（Ｓ１０）。
【００３６】
例えば、洗濯／乾燥機２０の利用者は、任意のタイミングで、処理装置１０及び／又は洗濯／乾燥機２０に設けられたカメラ、マイク、指紋センサ等の任意の入力装置を介して自身の生体情報を入力する。すると、登録部１１は、入力された生体情報を取得し（Ｓ１０のＹｅｓ）、記憶部１２に記憶させる（Ｓ１１）。
【００３７】
その他の例として、洗濯／乾燥機２０にカメラが設置され、洗濯／乾燥機２０を操作する人物が撮影されてもよい。そして、洗濯／乾燥機２０の利用者が洗濯／乾燥機２０に対して所定の操作（例：扉を閉める、洗濯や乾燥を開始する入力等）を行ったタイミングで撮影された画像に含まれる人物の顔画像が、生体情報として登録部１１に入力されてもよい。登録部１１は、当該生体情報を取得すると（Ｓ１０のＹｅｓ）、記憶部１２に記憶させる（Ｓ１１）。
【００３８】
次に、図６のフローチャートを用いて、洗濯／乾燥機２０の扉のロックを解除する処理の流れの一例を説明する。
【００３９】
まず、受付部１３は、洗濯／乾燥機２０の扉のロック解除依頼、及び、生体情報の取得待ち状態となっている（Ｓ２０）。
【００４０】
例えば、洗濯／乾燥機２０の利用者は、処理装置１０及び／又は洗濯／乾燥機２０に設けられた物理ボタン、タッチパネル、マイク等の任意の入力装置を介して、洗濯／乾燥機２０の扉のロック解除依頼を入力する。受付部１３は、このようにして入力されたロック解除依頼を取得する。
【００４１】
他の例として、洗濯／乾燥機２０の利用者は、洗濯／乾燥機２０の扉を開こうとする操作を行う。例えば洗濯／乾燥機２０の任意の位置に設置された圧力センサで扉を開こうとする力を検知することで、当該操作が検出される。そして、受付部１３は、当該操作をロック解除依頼として取得する。
【００４２】
また、洗濯／乾燥機２０の利用者は、処理装置１０及び／又は洗濯／乾燥機２０に設けられたカメラ、マイク、指紋センサ等の任意の入力装置を介して自身の生体情報を入力する。受付部１３は、このようにして入力され生体情報を取得する。なお、利用者による生体情報の入力は、利用者が能動的に入力操作を行うことで実現されてもよいし、利用者に意識させることなく任意のタイミングでカメラが利用者を撮影する等により実現されてもよい。
【００４３】
受付部１３が、洗濯／乾燥機２０の扉のロック解除依頼、及び、生体情報を取得すると（Ｓ２０のＹｅｓ）、認証部１４は、記憶部１２に記憶されている生体情報と、受付部１３が受付けた生体情報とに基づき生体認証を行う（Ｓ２１）。
【００４４】
認証に成功した場合（Ｓ２２のＹｅｓ）、ロック制御部１５は、扉のロック解除指示を洗濯／乾燥機２０に入力する。洗濯／乾燥機２０のロック開閉部は、ロック制御部１５からのロック解除指示に基づき、収容エリアの扉のロックを解除する。なお、洗濯／乾燥機２０は、ロックを解除した旨を処理装置１０に通知してもよい。そして、処理装置１０は、当該通知に応じて、記憶部１２に記憶されている生体情報等（図４参照）を消去してもよい。
【００４５】
一方、認証部１４による生体認証が失敗した場合（Ｓ２２のＮｏ）、ロック制御部１５は、扉のロック解除指示を洗濯／乾燥機２０に入力しない。このため、洗濯／乾燥機２０の収容エリアの扉のロックは解除されない。この場合、処理装置１０及び／又は洗濯／乾燥機２０は、認証に失敗したため洗濯／乾燥機２０の扉のロックを解除しない旨を利用者に通知（エラー通知）することができる（Ｓ２４）。
【００４６】
「作用効果」
以上説明したように、本実施形態のシステムは、生体認証に成功した場合に、洗濯／乾燥機２０の扉のロックを解除する機能を有する。このような本実施形態のシステムによれば、利用者以外の他人による内容物の確認や窃盗を抑制できる。また、暗証番号等のコードを認証に利用しないので、利用者がコードを忘れてしまい洗濯／乾燥機のロックを解除できないという問題の発生を抑制できる。
【００４７】
＜第２の実施形態＞
「本実施形態のシステムの概要」
本実施形態のシステムは、洗濯／乾燥機２０に関する所定のタイミング（例：洗濯又は乾燥が終了したタイミング）からの経過時間を管理し、経過時間が基準値を超えている場合には、生体認証が成功し、かつ、所定の支払処理か完了した後に、洗濯／乾燥機２０の扉のロックを解除する機能を有する。以下、本実施形態のシステムを詳細に説明する。
【００４８】
「本実施形態のシステムの全体像」
第１の実施形態と同様である。
【００４９】
「洗濯／乾燥機２０の構成」
洗濯／乾燥機２０は、支払処理を受付ける支払受付部を有してもよい。支払受付部は、現金の挿入を受付ける機能を有してもよいし、クレジットカード情報の入力を受付ける機能を有してもよいし、ＩＣカードや携帯端末等と無線通信して電子マネー情報の入力を受付ける機能を有してもよい。支払受付部は、これらの機能に基づき、所定金額の支払処理を実行する。
【００５０】
所定金額は、処理装置１０が決定してもよいし、洗濯／乾燥機２０が決定してもよい。例えば、経過時間が基準値を超えた超過分に応じて所定金額が決定されてもよいし、経過時間が基準値を超えた場合に一律に同じ所定金額が決定されてもよい。
【００５１】
洗濯／乾燥機２０のその他の機能は、第１の実施形態と同様である。
【００５２】
「処理装置１０の構成」
処理装置１０の機能ブロック図の一例は、図３で示される。ロック制御部１５は、洗濯／乾燥機２０に関する所定のタイミングからの経過時間を管理する。
【００５３】
所定のタイミングは、例えば洗濯又は乾燥が終了したタイミング、すなわち扉のロックを解除して内容物を取り出すことが可能となったタイミング等が例示されるが、これに限定されない。洗濯／乾燥機２０は、所定のタイミングを示す情報（日時情報）を処理装置１０に通知することができる。処理装置１０は、図７に示すように、所定のタイミングを示す情報を記憶部１２に記憶させる。図示する「終了日時」が所定のタイミングを示す。
【００５４】
ロック制御部１５は、記憶部１２に記憶されている当該情報と、現在日時とに基づき、所定のタイミングからの経過時間を管理する。
【００５５】
そして、ロック制御部１５は、経過時間が基準値を超えている場合には、認証部１４による生体認証が成功し、かつ、所定の支払処理が完了した後に、扉のロック解除指示を洗濯／乾燥機２０に入力する。
【００５６】
所定の支払処理は、洗濯／乾燥機２０が実行してもよい。すなわち、上述した洗濯／乾燥機２０の支払受付部が実行してもよい。この場合、洗濯／乾燥機２０は、所定の支払処理が完了すると、その旨を処理装置１０に通知する。
【００５７】
なお、所定の支払処理は、処理装置１０が実行してもよい。処理装置１０は、現金の挿入を受付ける機能を有してもよいし、クレジットカード情報の入力を受付ける機能を有してもよいし、ＩＣカードや携帯端末等と無線通信して電子マネー情報の入力を受付ける機能を有してもよい。処理装置１０は、これらの機能に基づき、所定金額の支払処理を実行することができる。
【００５８】
次に、図８のフローチャートを用いて、洗濯／乾燥機２０の扉のロックを解除する処理の流れの一例を説明する。
【００５９】
まず、受付部１３は、洗濯／乾燥機２０の扉のロック解除依頼、及び、生体情報の取得待ち状態となっている（Ｓ３０）。Ｓ３０は、図６のフローチャートを用いて説明したＳ２０と同様である。
【００６０】
受付部１３が、洗濯／乾燥機２０の扉のロック解除依頼、及び、生体情報を取得すると（Ｓ３０のＹｅｓ）、認証部１４は、記憶部１２に記憶されている生体情報と、受付部１３が受付けた生体情報とに基づき生体認証を行う（Ｓ３１）。
【００６１】
認証に成功した場合（Ｓ３２のＹｅｓ）、ロック制御部１５は、洗濯／乾燥機２０に関する所定のタイミングからの経過時間が基準値を超えているか判断する（Ｓ３３）。
【００６２】
超えていない場合（Ｓ３３のＮｏ）、ロック制御部１５は、扉のロック解除指示を洗濯／乾燥機２０に入力する（Ｓ３６）。洗濯／乾燥機２０のロック開閉部は、ロック制御部１５からのロック解除指示に基づき、収容エリアの扉のロックを解除する。なお、洗濯／乾燥機２０は、ロックを解除した旨を処理装置１０に通知してもよい。そして、処理装置１０は、当該通知に応じて、記憶部１２に記憶されている生体情報等（図７参照）を消去してもよい。
【００６３】
一方、超えている場合（Ｓ３３のＹｅｓ）、ロック制御部１５は、所定の支払処理が完了しているか判断する（Ｓ３４）。完了している場合（Ｓ３４のＹｅｓ）、ロック制御部１５は、扉のロック解除指示を洗濯／乾燥機２０に入力する（Ｓ３６）。一方、完了していない場合（Ｓ３４のＮｏ）、処理装置１０は、エラー通知を行う（Ｓ３５）。例えば、処理装置１０は、所定の支払いを促す案内を、ディスプレイ等の出力装置を介して出力する。そして、処理装置１０は、Ｓ３４に戻り、所定の支払いの完了待ちとなる。
【００６４】
なお、認証部１４による生体認証が失敗した場合（Ｓ３２のＮｏ）、ロック制御部１５は、扉のロック解除指示を洗濯／乾燥機２０に入力しない。このため、洗濯／乾燥機２０の収容エリアの扉のロックは解除されない。この場合、処理装置１０及び／又は洗濯／乾燥機２０は、認証に失敗したため洗濯／乾燥機２０の扉のロックを解除しない旨を利用者に通知（エラー通知）することができる（Ｓ３７）。
【００６５】
処理装置１０のその他の機能は、第１の実施形態と同様である。
【００６６】
「作用効果」
以上説明した本実施形態のシステムによれば、第１の実施形態のシステムと同様の作用効果が実現される。また、本実施形態のシステムによれば、洗濯／乾燥機２０内で衣類などが所定時間以上放置された場合、それに対する所定の支払が完了したことを条件に、洗濯／乾燥機２０の扉のロックを解除することができる。このため、洗濯／乾燥機２０内で衣類などが所定時間以上放置されたことに対する支払いを確実に受けることができる。
【００６７】
＜第３の実施形態＞
「本実施形態のシステムの概要」
本実施形態のシステムは、洗濯／乾燥機２０に関する所定のタイミング（例：洗濯又は乾燥が終了したタイミング）からの経過時間を管理するとともに、料金の支払いで洗濯／乾燥機２０内での内容物の保管期限を延長できる保管延長オプションが付与されているか否かを管理する。そして、本実施形態のシステムは、経過時間が基準値を超えたか否か、また、保管延長オプションが付与されているか否かに応じて、洗濯／乾燥機２０の扉のロックを解除する処理を異ならせる。以下、本実施形態のシステムを詳細に説明する。
【００６８】
「本実施形態のシステムの全体像」
第１又は第２の実施形態と同様である。
【００６９】
「洗濯／乾燥機２０の構成」
第１又は第２の実施形態と同様である。
【００７０】
「処理装置１０の構成」
処理装置１０の機能ブロック図の一例は、図３で示される。登録部１１は、保管延長オプションを付与するか否かを示す選択情報を取得し、選択情報と生体情報を対応付けて記憶部１２に記憶させる。図９に、記憶部１２が記憶する情報の一例を示す。図示する例では、「有」又は「無」の値を取ることができる保管延長オプションの項目が含まれる。
【００７１】
洗濯／乾燥機２０の利用者は、任意のタイミングで、処理装置１０及び／又は洗濯／乾燥機２０に設けられた物理ボタン、タッチパネル、マイク等の任意の入力装置を介して、保管延長オプションを付与するか否かを示す選択情報を入力することができる。登録部１１は、このようにして入力された選択情報を取得し、記憶部１２に記憶させる。
【００７２】
ロック制御部１５は、洗濯／乾燥機２０に関する所定のタイミングからの経過時間を管理する。当該処理は、第２の実施形態で説明した通りである。
【００７３】
そして、ロック制御部１５は、経過時間が基準値を超えたか否か、また、保管延長オプションが付与されているか否かに応じて定まる所定のタイミングで、扉のロック解除指示を洗濯／乾燥機２０に入力する。
【００７４】
図１０に、ロック制御部１５による処理内容の一例を示す。なお、あくまで一例であり、これに限定されない。図示するように、経過時間が基準値未満である場合、ロック制御部１５は、保管延長オプションが付与されているか否かに関わらず、認証部１４による生体認証が成功したことに応じて、扉のロック解除指示を洗濯／乾燥機２０に入力することができる。
【００７５】
そして、保管延長オプションが付与されており、かつ、経過時間が基準値を超えている場合には、ロック制御部１５は、認証部１４による生体認証が成功し、かつ、所定の支払処理が完了した後に、扉のロック解除指示を洗濯／乾燥機２０に入力する。所定の支払処理は、第２の実施形態で説明した通りである。
【００７６】
そして、保管延長オプションが付与されておらず、かつ、経過時間が基準値を超えた場合には、経過時間が基準値に達した時点で扉のロック解除指示を洗濯／乾燥機２０に入力することができる。
【００７７】
処理装置１０のその他の機能は、第１又は第２の実施形態と同様である。
【００７８】
「作用効果」
以上説明した本実施形態のシステムによれば、第１又は第２の実施形態のシステムと同様の作用効果が実現される。また、本実施形態のシステムによれば、料金の支払いで洗濯／乾燥機２０内での内容物の保管期限を延長できる保管延長オプションが付与されているか否かに応じた適切な処理を実行することができる。
【００７９】
具体的には、図１０に示すように、保管延長オプションが付与されている場合には、経過時間が基準値を超えると、生体認証の成功、及び、所定の支払処理の完了に応じて扉のロックを解除する。そして、保管延長オプションが付与されていない場合には、経過時間が基準値に達した時点で、扉のロックを解除する。このようにすることで、保管延長オプションが有名無実化する不都合を回避できる。
【００８０】
また、保管延長オプションの付与により、経過時間が基準値を超えても扉のロックが維持され、利用者以外の他人による内容物の確認や窃盗が抑制できるので、利用者利益が確保される。一方、保管延長オプションが付与されていない場合には、経過時間が基準値に達した時点で扉のロックが解除される。これにより、例えば店員が内容物を取り出し、洗濯／乾燥機２０を空にできるようになるので、店側の利益が確保される。このように、本実施形態のシステムによれば、利用者の利益と店側の利益とを確保することができる。
【００８１】
＜第４の実施形態＞
「本実施形態のシステムの概要」
本実施形態のシステムは、利用者の連絡先情報を登録しておき、当該連絡先情報を用いて、各種情報を利用者に通知する。以下、本実施形態のシステムを詳細に説明する。
【００８２】
「本実施形態のシステムの全体像」
第１乃至第３の実施形態のいずれかと同様である。
【００８３】
「洗濯／乾燥機２０の構成」
第１乃至第３の実施形態のいずれかと同様である。
【００８４】
「処理装置１０の構成」
処理装置１０の機能ブロック図の一例は、図１１で示される。図示するように、処理装置１０は、登録部１１と、記憶部１２と、受付部１３と、認証部１４と、ロック制御部１５と、通知部１６とを有する。
【００８５】
登録部１１は、利用者の連絡先を示す連絡先情報を取得し、連絡先情報と生体情報を対応付けて記憶部１２に記憶させる。連絡先情報は、メールアドレスであってもよいし、携帯電話の電話番号であってもよいし、所定のコミュニケーションアプリでメッセージの送受信を行うために通信相手を特定する情報であってもよいし、その他であってもよい。図１２に、記憶部１２が記憶する情報の一例を示す。図示する例では、「連絡先情報」の値を取ることができる連絡先の項目が含まれる。
【００８６】
洗濯／乾燥機２０の利用者は、任意のタイミングで、処理装置１０及び／又は洗濯／乾燥機２０に設けられた物理ボタン、タッチパネル、マイク、コードリーダ等の任意の入力装置を介して、連絡先情報を入力することができる。登録部１１は、このようにして入力された連絡先情報を取得し、記憶部１２に記憶させる。
【００８７】
通知部１６は、記憶部１２に記憶されている連絡先情報を用いて、利用者に各種情報を通知する。
【００８８】
例えば、洗濯／乾燥機２０は、利用者による自機の操作内容や現在時刻に応じて、洗濯又は乾燥が終了するタイミング（日時）を算出し、処理装置１０に通知してもよい。そして、通知部１６は、洗濯又は乾燥が終了するタイミング（日時）を、利用者に通知してもよい。また、通知部１６は、洗濯又は乾燥が終了するタイミング（日時）よりも所定時間前（例：１５分前、１０分前、５分前など）に、その旨を利用者に通知してもよい。
【００８９】
その他、洗濯／乾燥機２０は、自機に対して行われた操作内容を処理装置１０に通知してもよい。例えば、扉を開けようとする操作、入力装置を介した所定の入力操作等が行われると、洗濯／乾燥機２０は、当該操作に応じて、操作内容を処理装置１０に通知してもよい。そして、通知部１６は、処理装置１０から通知された内容を利用者に通知してもよい。この場合、利用者が洗濯／乾燥機２０を利用中に、他人がその洗濯／乾燥機２０に対して行った操作を、利用者に通知できる。
【００９０】
なお、この場合、洗濯／乾燥機２０に設けられたカメラが、洗濯／乾燥機２０に対して操作を行った人物を撮影してもよい。そして、生成された画像は、洗濯／乾燥機２０から処理装置１０に送信され、その後、連絡先情報を用いてユーザに送信されてもよい。
【００９１】
その他、通知部１６は、洗濯／乾燥機２０に関する所定のタイミングからの経過時間が基準値より所定時間前（例：１５分前、１０分前、５分前など）になると、内容物の回収督促、及び、料金の支払いで洗濯／乾燥機内での保管期限を延長できる保管延長オプションの案内の少なくとも一方を通知してもよい。洗濯／乾燥機２０に関する所定のタイミング、経過時間及び基準値は、第２及び第３の実施形態と同じ概念である。
【００９２】
なお、利用者は、当該案内に返信することで、又は、当該案内で示される所定のウェブサイトでの入力作業により、保管延長オプションの付与を処理装置１０に通知できてもよい。そして、登録部１１は、当該通知に応じて、記憶部１２に記憶されている選択情報（図９の保管延長オプション）を更新してもよい。
【００９３】
その他、通知部１６は、同エリア（同店舗等）に設置されている他の洗濯／乾燥機２０の利用状況を利用者に通知してもよい。空いている洗濯／乾燥機２０がない又は少ない場合には、早く自身の内容物を回収して洗濯／乾燥機２０を空けようという気持ちが働く。結果、洗濯／乾燥機２０の利用率が向上する。
【００９４】
処理装置１０のその他の機能は、第１乃至第３の実施形態のいずれかと同様である。
【００９５】
「作用効果」
以上説明した本実施形態のシステムによれば、第１乃至第３の実施形態のシステムと同様の作用効果が実現される。また、本実施形態のシステムによれば、利用者に各種情報を通知することができる。結果、利便性が向上する。
【００９６】
＜第５の実施形態＞
「本実施形態のシステムの概要」
本実施形態のシステムは、処理装置１０と洗濯／乾燥機２０とが１対多の関係である点で、第１乃至第４の実施形態と異なる。
【００９７】
「本実施形態のシステムの全体像」
図１３の機能ブロック図に示すように、本実施形態のシステムは、処理装置１０と、洗濯／乾燥機２０とは１対多の関係である。処理装置１０と洗濯／乾燥機２０とは任意の手段で互いに情報を送受信するよう構成されている。本実施形態のシステムは、例えば、コインランドリー、寮等、不特定多数の人が同じ洗濯／乾燥機２０を使用する場面での利用に好適だが、一般家庭などその他の場面で利用されてもよい。
【００９８】
「洗濯／乾燥機２０の構成」
洗濯／乾燥機２０は、自装置を識別できる情報を付与して、各種情報を処理装置１０に送信する。洗濯／乾燥機２０のその他の機能は、第１乃至第４の実施形態のいずれかと同様である。
【００９９】
「処理装置１０の構成」
処理装置１０の機能ブロック図の一例は、図３又は図１１で示される。
【０１００】
登録部１１は、複数の洗濯／乾燥機２０の中の１つを示す対象識別情報をさらに取得し、対象識別情報と生体情報を対応付けて記憶部１２に記憶させる。洗濯／乾燥機２０の利用者は、任意のタイミングで、処理装置１０に設けられた物理ボタン、タッチパネル、マイク、コードリーダ等の任意の入力装置を介して、対象識別情報を入力することができる。登録部１１は、このようにして入力された対象識別情報を取得し、記憶部１２に記憶させる。
【０１０１】
図１４に、記憶部１２が記憶する情報の一例を模式的に示す。図示する例では、対象識別情報が互いに異なる洗濯／乾燥機２０ごとに、各種登録情報（生体情報等）が登録されている。
【０１０２】
受付部１３は、扉のロック解除の対象である洗濯／乾燥機２０を示す対象識別情報の入力をさらに受付ける。洗濯／乾燥機２０の利用者は、処理装置１０に設けられた物理ボタン、タッチパネル、マイク、コードリーダ等の任意の入力装置を介して、対象識別情報を入力することができる。受付部１３は、このようにして入力された対象識別情報を取得する。
【０１０３】
認証部１４は、受付部１３が受付けた対象識別情報に対応付けて記憶部１２に記憶されている生体情報（図１４参照）と、受付部１３が受付けた生体情報とに基づき生体認証を行う。
【０１０４】
処理装置１０のその他の機能は、第１乃至第４の実施形態のいずれかと同様である。
【０１０５】
「作用効果」
以上説明した本実施形態のシステムによれば、第１乃至第４の実施形態のシステムと同様の作用効果が実現される。また、本実施形態のシステムによれば、複数の洗濯／乾燥機２０に対して１つの処理装置１０を用意すればよいので、システムの費用等を抑える等の効果が期待できる。
【０１０６】
＜実施例＞
図１５のフローチャートを用いて、実施例を説明する。なお、本実施例では処理装置１０と洗濯／乾燥機２０とは１対１の関係であるものとするが、１対多の関係にすることもできる。
【０１０７】
まず、本実施例では、洗濯／乾燥機２０の利用者は、洗濯／乾燥機２０の利用前（例：来店前）に、所定のウェブサイトやアプリを介して、自身の生体情報（例：顔画像）をシステムに登録する。そして、利用者は来店後、複数の洗濯／乾燥機２０の中の１つを選択し（Ｓ５０）、選択した洗濯／乾燥機２０に設けられた入力装置を介して自身の生体情報（例：顔画像）を入力する。結果、処理装置１０は、生体情報を取得する（Ｓ５１）。利用者は、生体情報を入力するために、カメラに近づき撮影ボタンを押下する、指紋センサにタッチする等の能動的な動作を行ってもよい。その他、洗濯／乾燥機２０の扉部、コイン投入等の入金や洗濯時間等のコース選択操作を行うコンソール部等に利用者が近づいた際に生体認証情報を入手できる位置に設置されたカメラ、マイク等のセンサーデバイスが、自動的に利用者の生体情報を取得してもよい。例えば、人感センサ等で人が洗濯／乾燥機２０に近づいたことを検知すると、センサーデバイスがセンシング処理を実行し、生体情報を取得してもよい。洗濯／乾燥機２０は入力された生体情報を処理装置１０に送信する。
【０１０８】
そして、処理装置１０は、Ｓ５１で取得した生体情報と、事前に登録されている生体情報とを用いて、生体認証を行う（Ｓ５２）。生体認証に成功した場合、処理装置１０は、Ｓ５１で取得した生体情報を記憶部１２に記憶させる（Ｓ５３）。なお、生体認証に失敗した場合、処理装置１０は利用者に対してエラー通知を行ってもよい。
【０１０９】
その後、利用者は、処理装置１０及び／又は洗濯／乾燥機２０を操作して、洗濯や乾燥のコース選択、入金操作、連絡先情報の登録、終了予定時刻通知を受けるか否かの選択などを行う（Ｓ５４）。すると、処理装置１０は、これらの情報を生体情報に紐付けて記憶部１２に記憶させる（Ｓ５５）。
【０１１０】
次いで、利用者が洗濯／乾燥機２０に対して洗濯又は乾燥を開始する操作を行うと、当該処理が開始され、洗濯／乾燥機２０の扉のロックが施錠される（Ｓ５６）。そして、終了予定時刻通知を受ける選択になっている場合（Ｓ５７のＹｅｓ）、処理装置１０は、Ｓ５５で登録された連絡先情報を用いて、洗濯／乾燥機２０が算出した終了予定時刻を利用者に通知する（Ｓ５８）。一方、終了予定時刻通知を受ける選択になっていない場合（Ｓ５７のＮｏ）、処理装置１０は、Ｓ５８の通知を行わない。
【０１１１】
その後、洗濯／乾燥機２０による洗濯又は乾燥が終了すると（Ｓ５９）、処理装置１０は、洗濯／乾燥機２０の扉のロックを解除する操作待ち状態となる。
【０１１２】
例えば、洗濯／乾燥機２０の任意の位置に設置された圧力センサ等で洗濯／乾燥機２０の扉を開こうとする操作が検出されると（Ｓ６０のＹｅｓ）、処理装置１０は、洗濯／乾燥機２０に設けられたカメラが生成したその人物の顔画像と、Ｓ５３で保持された生体情報（顔画像）とを用いて生体認証を行う。
【０１１３】
扉を開こうとする操作を行っている人物が利用者でない場合、すなわち生体認証に失敗した場合（Ｓ６１のＮｏ）、処理装置１０は、Ｓ５５で登録された連絡先情報を用いて、その旨を利用者に通知する（Ｓ６２）。通知内容は、扉を開こうとする操作を検出した日時、及び、その操作内容を含んでもよい。また、通知内容は、扉を開こうとする操作をした人物の画像を含んでもよい。Ｓ６２の通知の後、処理装置１０は、Ｓ６０に戻り、洗濯／乾燥機２０の扉のロックを解除する操作待ち状態となる。
【０１１４】
一方、扉を開こうとする操作を行っている人物が利用者である場合、すなわち生体認証に成功した場合（Ｓ６１のＹｅｓ）、処理装置１０は、所定のタイミングからの経過時間が基準値を超えているか否かを判断する（Ｓ６３）。
【０１１５】
超えていない場合（Ｓ６３のＮｏ）、処理装置１０は、扉のロック解除指示を洗濯／乾燥機２０に入力する。これに応じて、洗濯／乾燥機２０は扉のロックを解除する（Ｓ６５）。そして、利用者は、洗濯／乾燥機２０を開き、内容物を取出す（Ｓ６６）。
【０１１６】
一方、超えている場合（Ｓ６３のＹｅｓ）、処理装置１０は、経過時間が基準値を超えたことに起因する所定の支払処理が完了した後に（Ｓ６４）、扉のロック解除指示を洗濯／乾燥機２０に入力する。これに応じて、洗濯／乾燥機２０は扉のロックを解除する（Ｓ６５）。そして、利用者は、洗濯／乾燥機２０を開き、内容物を取出す（Ｓ６６）。
【０１１７】
以下、変形例を説明する。店舗内の任意の位置に、利用者が操作する操作端末が設けられてもよい。そして、利用者は来店後、当該操作端末に設けられた入力装置を介して自身の生体情報（例：顔画像）を入力してもよい。操作端末は入力された生体情報を処理装置１０に送信する。そして、処理装置１０は、操作端末から取得した生体情報と、事前に登録されている生体情報とを用いて、生体認証を行う。生体認証に成功した場合、処理装置１０は、空いている洗濯／乾燥機２０を示す情報を操作端末に送信する。そして、操作端末は、受信した情報に基づき、空いている洗濯／乾燥機２０を示す情報を利用者に向けて出力する。操作端末は、ディスプレイ、投影装置、スピーカ等の出力装置を介して上記情報を出力することができる。
【０１１８】
その他の変形例として、処理装置１０は、Ｓ６２において、扉を開こうとする操作をした人物の画像を通知する際に、扉のロックを解除してよいか否かの問い合わせを行ってもよい。そして、処理装置１０は、当該問い合わせに対する回答を受付けてもよい。利用者は、当該通知に返信することで、又は、当該通知で示される所定のウェブサイトでの入力作業により、扉のロックを解除してよいか否かの回答を処理装置１０に通知できてもよい。そして、扉のロックを解除してよい旨の回答を取得した場合、Ｓ６３以下の処理が実行される。一方、扉のロックを解除してよい旨の回答を取得しなかった場合、処理装置１０は、Ｓ６０に戻り、洗濯／乾燥機２０の扉のロックを解除する操作待ち状態となる。なお、扉のロックを解除してよい旨の回答を取得しなかった場合、処理装置１０は、予め登録された所定の通知対象（例：警察、管理人、店舗の人間等）にその旨を通知してもよい。
【０１１９】
その他の変形例として、Ｓ６０における「扉の開閉を試みている人物がいるか否か」の判断は、人感センサ、カメラ画像等の任意のセンサで洗濯／乾燥機２０の前で所定時間以上立ち止まっている人間を検出することで実現されてもよい。この場合、洗濯／乾燥機２０の前で所定時間以上立ち止まっている人間が検出されると、扉の開閉を試みている人物がいると判断される。
【０１２０】
ここで、全ての実施形態及び実施例に適用可能な変形例を説明する。処理装置１０への生体情報の入力は、処理装置１０や洗濯／乾燥機２０に設けられた入力装置を介した手段に限定されず、あらゆる手段を採用できる。例えば、利用者自身の端末装置（スマートフォン、タブレット端末、携帯電話、スマートウォッチ、携帯ゲーム機、パーソナルコンピュータ等）が備える入力装置、又は、端末装置に接続された入力装置を介して生体情報が端末装置に入力された後、端末装置が入力された生体情報を処理装置１０に送信してもよい。送信手段は、インターネット等の通信ネットワークを介した手段であってもよいし、近距離無線通信であってもよいし、その他であってもよい。このように、処理装置１０への生体情報の入力は、明細書に明示的に開示された構成に限定されず、生体情報を入力可能なあらゆる構成を採用することができる。
【０１２１】
なお、以上説明した本実施形態及び本実施例は、生体認証で洗濯／乾燥機２０の扉のロックを制御する技術であったが、本実施形態及び本実施例と同様にして、コインロッカー、ジム・入浴施設等の脱衣所ロッカー・下駄箱・傘たて、宅配ＢＯＸ、有償式の携帯端末等充電ＢＯＸ等のロックを生体認証で制御することもできる。また、本実施形態及び本実施例と同様にして、病院内等の患者別エリア制限のためのエレベーターや自動ドアの利用、カーシェアリング等の搭乗認証等の用途において生体認証を用いることができる。また、本実施形態及び本実施例と同様にして、コンビニのイートインコーナーやフードコート入口にゲートを設け、生体認証を用いて入退場管理を行うこともできる。
【０１２２】
上記の実施形態の一部又は全部は、以下の付記のようにも記載されうるが、以下には限定されない。
１．  生体情報を取得し、記憶手段に記憶させる登録手段と、
洗濯／乾燥機の扉のロック解除依頼、及び、生体情報の入力を受付ける受付手段と、
前記記憶手段に記憶されている生体情報と、前記受付手段が受付けた生体情報とに基づき生体認証を行う認証手段と、
前記生体認証が成功した場合、扉のロック解除指示を前記洗濯／乾燥機に入力するロック制御手段と、
を有する処理装置。
２．  １に記載の処理装置において、
前記登録手段は、複数の前記洗濯／乾燥機の中の１つを示す対象識別情報をさらに取得し、前記対象識別情報と前記生体情報を対応付けて前記記憶手段に記憶させ、
前記受付手段は、扉のロック解除の対象である前記洗濯／乾燥機を示す前記対象識別情報の入力をさらに受付け、
前記認証手段は、前記受付手段が受付けた前記対象識別情報に対応付けて前記記憶手段に記憶されている生体情報と、前記受付手段が受付けた生体情報とに基づき生体認証を行う処理装置。
３．  １又は２に記載の処理装置において、
前記ロック制御手段は、
前記洗濯／乾燥機に関する所定のタイミングからの経過時間を管理し、
前記経過時間が基準値を超えている場合には、前記生体認証が成功し、かつ、所定の支払処理が完了した後に、扉のロック解除指示を前記洗濯／乾燥機に入力する処理装置。
４．  １又は２に記載の処理装置において、
前記登録手段は、
保管延長オプションを付与するか否かを示す選択情報を取得し、前記選択情報と前記生体情報を対応付けて前記記憶手段に記憶させ、
前記ロック制御手段は、
前記洗濯／乾燥機に関する所定のタイミングからの経過時間を管理し、
保管延長オプションが付与されていない場合には、前記経過時間が基準値に達した時点で扉のロック解除指示を前記洗濯／乾燥機に入力し、
保管延長オプションが付与されており、かつ、前記経過時間が基準値を超えている場合には、前記生体認証が成功し、かつ、所定の支払処理が完了した後に、扉のロック解除指示を前記洗濯／乾燥機に入力する処理装置。
５．  １から４のいずれかに記載の処理装置において、
前記登録手段は、利用者の連絡先を示す連絡先情報を取得し、前記連絡先情報と前記生体情報を対応付けて前記記憶手段に記憶させ、
前記連絡先情報を用いて、利用者に各種情報を通知する通知手段をさらに有する処理装置。
６．  ５に記載の処理装置において、
前記通知手段は、前記洗濯／乾燥機による洗濯又は乾燥が終了するタイミングを通知する処理装置。
７．  ５又は６に記載の処理装置において、
前記通知手段は、前記洗濯／乾燥機に対して行われた操作の内容を通知する処理装置。
８．  ５から７のいずれかに記載の処理装置において、
前記通知手段は、前記洗濯／乾燥機に関する所定のタイミングからの経過時間が基準値より所定時間前になると、内容物の回収督促、及び、料金の支払いで前記洗濯／乾燥機内での保管期限を延長できる保管延長オプションの案内の少なくとも一方を通知する処理装置。
９．  ５から８のいずれかに記載の処理装置において、
前記通知手段は、他の前記洗濯／乾燥機の利用状況を通知する処理装置。
１０．  コンピュータが、
生体情報を取得し、記憶手段に記憶させ、
洗濯／乾燥機の扉のロック解除依頼、及び、生体情報の入力を受付け、
前記記憶手段に記憶されている生体情報と、受付けた生体情報とに基づき生体認証を行い、
前記生体認証が成功した場合、扉のロック解除指示を前記洗濯／乾燥機に入力する処理方法。
１１．  コンピュータを、
生体情報を取得し、記憶手段に記憶させる登録手段、
洗濯／乾燥機の扉のロック解除依頼、及び、生体情報の入力を受付ける受付手段、
前記記憶手段に記憶されている生体情報と、前記受付手段が受付けた生体情報とに基づき生体認証を行う認証手段、
前記生体認証が成功した場合、扉のロック解除指示を前記洗濯／乾燥機に入力するロック制御手段、
として機能させるプログラム。
【０１２３】
以上、実施形態（及び実施例）を参照して本願発明を説明したが、本願発明は上記実施形態（及び実施例）に限定されるものではない。本願発明の構成や詳細には、本願発明のスコープ内で当業者が理解し得る様々な変更をすることができる。
【符号の説明】
【０１２４】
１Ａ    プロセッサ
２Ａ    メモリ
３Ａ    入出力Ｉ／Ｆ
４Ａ    周辺回路
５Ａ    バス
１０    処理装置
１１    登録部
１２    記憶部
１３    受付部
１４    認証部
１５    ロック制御部
１６    通知部
【図１】
2020192001.tif 000003
【図２】
2020192001.tif 000004
【図３】
2020192001.tif 000005
【図４】
2020192001.tif 000006
【図５】
2020192001.tif 000007
【図６】
2020192001.tif 000008
【図７】
2020192001.tif 000009
【図８】
2020192001.tif 000010
【図９】
2020192001.tif 000011
【図１０】
2020192001.tif 000012
【図１１】
2020192001.tif 000013
【図１２】
2020192001.tif 000014
【図１３】
2020192001.tif 000015
【図１４】
2020192001.tif 000016
【図１５】
2020192001.tif 000017
【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
カメラにより生体情報を取得し、記憶手段に記憶させる登録手段と、
洗濯／乾燥機の扉のロック解除依頼、及び、生体情報の入力を受付ける受付手段と、
前記記憶手段に記憶されている生体情報と、前記受付手段が受付けた生体情報とに基づき生体認証を行う認証手段と、
前記生体認証が成功した場合、扉のロック解除指示を前記洗濯／乾燥機に入力するロック制御手段と、
を有し、
前記登録手段は、前記洗濯／乾燥機に対して所定の操作が行われたタイミング、又は、人が前記洗濯／乾燥機に近づいたことが検知されたタイミングで前記カメラが生成した画像に含まれる人物の顔の情報を生体情報として前記記憶手段に記憶させ、
前記受付手段は、前記洗濯／乾燥機の扉を開こうとする操作を検知すると、前記カメラが生成した画像を取得し、当該画像に含まれる人物の顔の情報を生体情報として取得し、
前記認証手段は、前記記憶手段に記憶されている生体情報と、前記受付手段が受付けた生体情報とに基づき生体認証を行う処理装置。
【請求項２】
請求項１に記載の処理装置において、
前記カメラは、前記所定の操作を行う人物を撮影する位置及び向きで設置されている処理装置。
【請求項３】
請求項１又は２に記載の処理装置において、
前記ロック制御手段は、
前記洗濯／乾燥機に関する所定のタイミングからの経過時間を管理し、
前記経過時間が基準値を超えている場合には、前記生体認証が成功し、かつ、所定の支払処理が完了した後に、扉のロック解除指示を前記洗濯／乾燥機に入力する処理装置。
【請求項４】
請求項１又は２に記載の処理装置において、
前記登録手段は、
保管延長オプションを付与するか否かを示す選択情報を取得し、前記選択情報と前記生体情報を対応付けて前記記憶手段に記憶させ、
前記ロック制御手段は、
前記洗濯／乾燥機に関する所定のタイミングからの経過時間を管理し、
保管延長オプションが付与されていない場合には、前記経過時間が基準値に達した時点で扉のロック解除指示を前記洗濯／乾燥機に入力し、
保管延長オプションが付与されており、かつ、前記経過時間が基準値を超えている場合には、前記生体認証が成功し、かつ、所定の支払処理が完了した後に、扉のロック解除指示を前記洗濯／乾燥機に入力する処理装置。
【請求項５】
請求項１から４のいずれか１項に記載の処理装置において、
前記登録手段は、利用者の連絡先を示す連絡先情報を取得し、前記連絡先情報と前記生体情報を対応付けて前記記憶手段に記憶させ、
前記連絡先情報を用いて、利用者に各種情報を通知する通知手段をさらに有する処理装置。
【請求項６】
請求項５に記載の処理装置において、
前記通知手段は、前記洗濯／乾燥機の扉を開こうとする操作、又は、入力装置を介した入力操作が行われた旨を利用者に通知する処理装置。
【請求項７】
請求項５又は６に記載の処理装置において、
前記通知手段は、他の洗濯／乾燥機の空き状況を通知する処理装置。
【請求項８】
請求項５から７のいずれか１項に記載の処理装置において、
前記通知手段は、前記洗濯／乾燥機に関する所定のタイミングからの経過時間が基準値より所定時間前になると、内容物の回収督促、及び、料金の支払いで前記洗濯／乾燥機内での保管期限を延長できる保管延長オプションの案内の少なくとも一方を通知する処理装置。
【請求項９】
コンピュータが、
カメラにより生体情報を取得し、記憶手段に記憶させ、
洗濯／乾燥機の扉のロック解除依頼、及び、生体情報の入力を受付け、
前記記憶手段に記憶されている生体情報と、受付けた生体情報とに基づき生体認証を行い、
前記生体認証が成功した場合、扉のロック解除指示を前記洗濯／乾燥機に入力し、
前記洗濯／乾燥機に対して所定の操作が行われたタイミング、又は、人が前記洗濯／乾燥機に近づいたことが検知されたタイミングで前記カメラが生成した画像に含まる人物の顔の情報を生体情報として前記記憶手段に記憶させ、
前記洗濯／乾燥機の扉を開こうとする操作を検知すると、前記カメラが生成した画像を取得し、当該画像に含まれる人物の顔の情報を生体情報として取得し、
前記記憶手段に記憶されている生体情報と、前記洗濯／乾燥機の扉を開こうとする操作の検知に応じて取得された生体情報とに基づき生体認証を行う処理方法。
【請求項１０】
コンピュータを、
カメラにより生体情報を取得し、記憶手段に記憶させる登録手段、
洗濯／乾燥機の扉のロック解除依頼、及び、生体情報の入力を受付ける受付手段、
前記記憶手段に記憶されている生体情報と、前記受付手段が受付けた生体情報とに基づき生体認証を行う認証手段、
前記生体認証が成功した場合、扉のロック解除指示を前記洗濯／乾燥機に入力するロック制御手段、
として機能させ、
前記登録手段は、前記洗濯／乾燥機に対して所定の操作が行われたタイミング、又は、人が前記洗濯／乾燥機に近づいたことが検知されたタイミングで前記カメラが生成した画像に含まる人物の顔の情報を生体情報として前記記憶手段に記憶させ、
前記受付手段は、前記洗濯／乾燥機の扉を開こうとする操作を検知すると、前記カメラが生成した画像を取得し、当該画像に含まれる人物の顔の情報を生体情報として取得し、
前記認証手段は、前記記憶手段に記憶されている生体情報と、前記受付手段が受付けた生体情報とに基づき生体認証を行うプログラム。
【手続補正２】
【補正対象書類名】明細書
【補正対象項目名】０００８
【補正方法】変更
【補正の内容】
【０００８】
本発明によれば、
カメラにより生体情報を取得し、記憶手段に記憶させる登録手段と、
洗濯／乾燥機の扉のロック解除依頼、及び、生体情報の入力を受付ける受付手段と、
前記記憶手段に記憶されている生体情報と、前記受付手段が受付けた生体情報とに基づき生体認証を行う認証手段と、
前記生体認証が成功した場合、扉のロック解除指示を前記洗濯／乾燥機に入力するロック制御手段と、
を有し、
前記登録手段は、前記洗濯／乾燥機に対して所定の操作が行われたタイミング、又は、人が前記洗濯／乾燥機に近づいたことが検知されたタイミングで前記カメラが生成した画像に含まれる人物の顔の情報を生体情報として前記記憶手段に記憶させ、
前記受付手段は、前記洗濯／乾燥機の扉を開こうとする操作を検知すると、前記カメラが生成した画像を取得し、当該画像に含まれる人物の顔の情報を生体情報として取得し、
前記認証手段は、前記記憶手段に記憶されている生体情報と、前記受付手段が受付けた生体情報とに基づき生体認証を行う処理装置が提供される。
【手続補正３】
【補正対象書類名】明細書
【補正対象項目名】０００９
【補正方法】変更
【補正の内容】
【０００９】
また、本発明によれば、
コンピュータが、
カメラにより生体情報を取得し、記憶手段に記憶させ、
洗濯／乾燥機の扉のロック解除依頼、及び、生体情報の入力を受付け、
前記記憶手段に記憶されている生体情報と、受付けた生体情報とに基づき生体認証を行い、
前記生体認証が成功した場合、扉のロック解除指示を前記洗濯／乾燥機に入力し、
前記洗濯／乾燥機に対して所定の操作が行われたタイミング、又は、人が前記洗濯／乾燥機に近づいたことが検知されたタイミングで前記カメラが生成した画像に含まる人物の顔の情報を生体情報として前記記憶手段に記憶させ、
前記洗濯／乾燥機の扉を開こうとする操作を検知すると、前記カメラが生成した画像を取得し、当該画像に含まれる人物の顔の情報を生体情報として取得し、
前記記憶手段に記憶されている生体情報と、前記洗濯／乾燥機の扉を開こうとする操作の検知に応じて取得された生体情報とに基づき生体認証を行う処理方法が提供される。
【手続補正４】
【補正対象書類名】明細書
【補正対象項目名】００１０
【補正方法】変更
【補正の内容】
【００１０】
また、本発明によれば、
コンピュータを、
カメラにより生体情報を取得し、記憶手段に記憶させる登録手段、
洗濯／乾燥機の扉のロック解除依頼、及び、生体情報の入力を受付ける受付手段、
前記記憶手段に記憶されている生体情報と、前記受付手段が受付けた生体情報とに基づき生体認証を行う認証手段、
前記生体認証が成功した場合、扉のロック解除指示を前記洗濯／乾燥機に入力するロック制御手段、
として機能させ、
前記登録手段は、前記洗濯／乾燥機に対して所定の操作が行われたタイミング、又は、人が前記洗濯／乾燥機に近づいたことが検知されたタイミングで前記カメラが生成した画像に含まる人物の顔の情報を生体情報として前記記憶手段に記憶させ、
前記受付手段は、前記洗濯／乾燥機の扉を開こうとする操作を検知すると、前記カメラが生成した画像を取得し、当該画像に含まれる人物の顔の情報を生体情報として取得し、
前記認証手段は、前記記憶手段に記憶されている生体情報と、前記受付手段が受付けた生体情報とに基づき生体認証を行うプログラムが提供される。
【手続補正書】
【提出日】令和2年8月20日(2020.8.20)
【手続補正１】
【補正対象書類名】特許請求の範囲
【補正対象項目名】全文
【補正方法】変更
【補正の内容】
【特許請求の範囲】
【請求項１】
カメラにより生体情報を取得し、記憶手段に記憶させる登録手段と、
洗濯／乾燥機の扉のロック解除依頼、及び、生体情報の入力を受付ける受付手段と、
前記記憶手段に記憶されている生体情報と、前記受付手段が受付けた生体情報とに基づき生体認証を行う認証手段と、
前記生体認証が成功した場合、扉のロック解除指示を前記洗濯／乾燥機に入力するロック制御手段と、
を有し、
前記登録手段は、前記洗濯／乾燥機に対して所定の操作が行われたタイミング、又は、人が前記洗濯／乾燥機に近づいたことが検知されたタイミングで前記カメラが生成した画像に含まれる人物の顔の情報を生体情報として前記記憶手段に記憶させ、
前記受付手段は、人が前記洗濯／乾燥機の扉に物理的な力を直接加えて当該扉を開こうとする操作を検知すると、前記カメラが生成した画像を取得し、当該画像に含まれる人物の顔の情報を生体情報として取得し、
前記認証手段は、前記記憶手段に記憶されている生体情報と、前記受付手段が受付けた生体情報とに基づき生体認証を行う処理装置。
【請求項２】
請求項１に記載の処理装置において、
前記カメラは、前記所定の操作を行う人物を撮影する位置及び向きで設置されている処理装置。
【請求項３】
請求項１又は２に記載の処理装置において、
前記ロック制御手段は、
前記洗濯／乾燥機に関する所定のタイミングからの経過時間を管理し、
前記経過時間が基準値を超えている場合には、前記生体認証が成功し、かつ、所定の支払処理が完了した後に、扉のロック解除指示を前記洗濯／乾燥機に入力する処理装置。
【請求項４】
請求項１又は２に記載の処理装置において、
前記登録手段は、
保管延長オプションを付与するか否かを示す選択情報を取得し、前記選択情報と前記生体情報を対応付けて前記記憶手段に記憶させ、
前記ロック制御手段は、
前記洗濯／乾燥機に関する所定のタイミングからの経過時間を管理し、
保管延長オプションが付与されていない場合には、前記経過時間が基準値に達した時点で扉のロック解除指示を前記洗濯／乾燥機に入力し、
保管延長オプションが付与されており、かつ、前記経過時間が基準値を超えている場合には、前記生体認証が成功し、かつ、所定の支払処理が完了した後に、扉のロック解除指示を前記洗濯／乾燥機に入力する処理装置。
【請求項５】
請求項１から４のいずれか１項に記載の処理装置において、
前記登録手段は、利用者の連絡先を示す連絡先情報を取得し、前記連絡先情報と前記生体情報を対応付けて前記記憶手段に記憶させ、
前記連絡先情報を用いて、利用者に各種情報を通知する通知手段をさらに有する処理装置。
【請求項６】
請求項５に記載の処理装置において、
前記通知手段は、前記洗濯／乾燥機の扉を開こうとする操作、又は、入力装置を介した入力操作が行われた旨を利用者に通知する処理装置。
【請求項７】
請求項５又は６に記載の処理装置において、
前記通知手段は、他の洗濯／乾燥機の空き状況を通知する処理装置。
【請求項８】
請求項５から７のいずれか１項に記載の処理装置において、
前記通知手段は、前記洗濯／乾燥機に関する所定のタイミングからの経過時間が基準値より所定時間前になると、内容物の回収督促、及び、料金の支払いで前記洗濯／乾燥機内での保管期限を延長できる保管延長オプションの案内の少なくとも一方を通知する処理装置。
【請求項９】
コンピュータが、
カメラにより生体情報を取得し、記憶手段に記憶させ、
洗濯／乾燥機の扉のロック解除依頼、及び、生体情報の入力を受付け、
前記記憶手段に記憶されている生体情報と、受付けた生体情報とに基づき生体認証を行い、
前記生体認証が成功した場合、扉のロック解除指示を前記洗濯／乾燥機に入力し、
前記洗濯／乾燥機に対して所定の操作が行われたタイミング、又は、人が前記洗濯／乾燥機に近づいたことが検知されたタイミングで前記カメラが生成した画像に含まれる人物の顔の情報を生体情報として前記記憶手段に記憶させ、
人が前記洗濯／乾燥機の扉に物理的な力を直接加えて当該扉を開こうとする操作を検知すると、前記カメラが生成した画像を取得し、当該画像に含まれる人物の顔の情報を生体情報として取得し、
前記記憶手段に記憶されている生体情報と、前記洗濯／乾燥機の扉を開こうとする操作の検知に応じて取得された生体情報とに基づき生体認証を行う処理方法。
【請求項１０】
コンピュータを、
カメラにより生体情報を取得し、記憶手段に記憶させる登録手段、
洗濯／乾燥機の扉のロック解除依頼、及び、生体情報の入力を受付ける受付手段、
前記記憶手段に記憶されている生体情報と、前記受付手段が受付けた生体情報とに基づき生体認証を行う認証手段、
前記生体認証が成功した場合、扉のロック解除指示を前記洗濯／乾燥機に入力するロック制御手段、
として機能させ、
前記登録手段は、前記洗濯／乾燥機に対して所定の操作が行われたタイミング、又は、人が前記洗濯／乾燥機に近づいたことが検知されたタイミングで前記カメラが生成した画像に含まれる人物の顔の情報を生体情報として前記記憶手段に記憶させ、
前記受付手段は、人が前記洗濯／乾燥機の扉に物理的な力を直接加えて当該扉を開こうとする操作を検知すると、前記カメラが生成した画像を取得し、当該画像に含まれる人物の顔の情報を生体情報として取得し、
前記認証手段は、前記記憶手段に記憶されている生体情報と、前記受付手段が受付けた生体情報とに基づき生体認証を行うプログラム。
【手続補正２】
【補正対象書類名】明細書
【補正対象項目名】０００８
【補正方法】変更
【補正の内容】
【０００８】
本発明によれば、
カメラにより生体情報を取得し、記憶手段に記憶させる登録手段と、
洗濯／乾燥機の扉のロック解除依頼、及び、生体情報の入力を受付ける受付手段と、
前記記憶手段に記憶されている生体情報と、前記受付手段が受付けた生体情報とに基づき生体認証を行う認証手段と、
前記生体認証が成功した場合、扉のロック解除指示を前記洗濯／乾燥機に入力するロック制御手段と、
を有し、
前記登録手段は、前記洗濯／乾燥機に対して所定の操作が行われたタイミング、又は、人が前記洗濯／乾燥機に近づいたことが検知されたタイミングで前記カメラが生成した画像に含まれる人物の顔の情報を生体情報として前記記憶手段に記憶させ、
前記受付手段は、人が前記洗濯／乾燥機の扉に物理的な力を直接加えて当該扉を開こうとする操作を検知すると、前記カメラが生成した画像を取得し、当該画像に含まれる人物の顔の情報を生体情報として取得し、
前記認証手段は、前記記憶手段に記憶されている生体情報と、前記受付手段が受付けた生体情報とに基づき生体認証を行う処理装置が提供される。
【手続補正３】
【補正対象書類名】明細書
【補正対象項目名】０００９
【補正方法】変更
【補正の内容】
【０００９】
また、本発明によれば、
コンピュータが、
カメラにより生体情報を取得し、記憶手段に記憶させ、
洗濯／乾燥機の扉のロック解除依頼、及び、生体情報の入力を受付け、
前記記憶手段に記憶されている生体情報と、受付けた生体情報とに基づき生体認証を行い、
前記生体認証が成功した場合、扉のロック解除指示を前記洗濯／乾燥機に入力し、
前記洗濯／乾燥機に対して所定の操作が行われたタイミング、又は、人が前記洗濯／乾燥機に近づいたことが検知されたタイミングで前記カメラが生成した画像に含まれる人物の顔の情報を生体情報として前記記憶手段に記憶させ、
人が前記洗濯／乾燥機の扉に物理的な力を直接加えて当該扉を開こうとする操作を検知すると、前記カメラが生成した画像を取得し、当該画像に含まれる人物の顔の情報を生体情報として取得し、
前記記憶手段に記憶されている生体情報と、前記洗濯／乾燥機の扉を開こうとする操作の検知に応じて取得された生体情報とに基づき生体認証を行う処理方法が提供される。
【手続補正４】
【補正対象書類名】明細書
【補正対象項目名】００１０
【補正方法】変更
【補正の内容】
【００１０】
また、本発明によれば、
コンピュータを、
カメラにより生体情報を取得し、記憶手段に記憶させる登録手段、
洗濯／乾燥機の扉のロック解除依頼、及び、生体情報の入力を受付ける受付手段、
前記記憶手段に記憶されている生体情報と、前記受付手段が受付けた生体情報とに基づき生体認証を行う認証手段、
前記生体認証が成功した場合、扉のロック解除指示を前記洗濯／乾燥機に入力するロック制御手段、
として機能させ、
前記登録手段は、前記洗濯／乾燥機に対して所定の操作が行われたタイミング、又は、人が前記洗濯／乾燥機に近づいたことが検知されたタイミングで前記カメラが生成した画像に含まれる人物の顔の情報を生体情報として前記記憶手段に記憶させ、
前記受付手段は、人が前記洗濯／乾燥機の扉に物理的な力を直接加えて当該扉を開こうとする操作を検知すると、前記カメラが生成した画像を取得し、当該画像に含まれる人物の顔の情報を生体情報として取得し、
前記認証手段は、前記記憶手段に記憶されている生体情報と、前記受付手段が受付けた生体情報とに基づき生体認証を行うプログラムが提供される。